【手続補正書】
【提出日】平成19年1月29日(2007.1.29)
【手続補正１】
【補正対象書類名】明細書
【補正対象項目名】発明の名称
【補正方法】変更
【補正の内容】
【発明の名称】音響信号情報処理装置及び方法
【手続補正２】
【補正対象書類名】明細書
【補正対象項目名】特許請求の範囲
【補正方法】変更
【補正の内容】
【特許請求の範囲】
【請求項１】
第１の記録媒体に記録された複数のトラックからなる音響信号情報をトラック単位で少なくとも１トラックずつ読み出す読み出し手段と、
前記第１の記録媒体から読み出された前記音響信号情報を第２の記録媒体へ記録するための記録手段と、
前記第２の記録媒体へ前記音響信号情報を記録する際に、記録される前記音響信号情報を有するトラックの記録履歴を記録される履歴情報を保持する履歴情報保持手段と、
前記第２の記録媒体へ前記音響信号情報を記録する際に、前記履歴情報を参照し、該履歴情報に当該音響信号情報を有するトラックの記録履歴が記録されていない場合は、当該音響信号情報を有するトラックの記録を行い、該記録履歴が記録されている場合は、当該音響信号情報を有するトラックの記録を行わないように記録手段を制御する制御手段と、
を有する音響信号情報処理装置。
【請求項２】
第１の記録媒体に記録された複数のトラックからなる音響信号情報をトラック単位で少なくとも１トラックずつ読み出し、
前記第１の記録媒体から読み出された前記音響信号情報を第２の記録媒体へ記録し、
前記第２の記録媒体へ前記音響信号情報を記録する際に、記録される前記音響信号情報を有するトラックの記録履歴を記録される履歴情報を保持し、
前記第２の記録媒体へ前記音響信号情報を記録する際に、前記履歴情報を参照し、該履歴情報に当該音響信号情報を有するトラックの記録履歴が記録されていない場合は、当該音響信号情報を有するトラックの記録を行い、該記録履歴が記録されている場合は、当該音響信号情報を有するトラックの記録を行わない、
音響信号情報処理方法。
【請求項３】
前記音響信号情報は、
ＭＰ３形式又はＷＡＶ形式であることを特徴とする請求項１に記載の音響信号情報処理装置。
【請求項４】
前記音響信号情報は、
ＭＰ３形式又はＷＡＶ形式であることを特徴とする請求項２に記載の音響信号情報処理方法。
【手続補正３】
【補正対象書類名】明細書
【補正対象項目名】０００１
【補正方法】変更
【補正の内容】
【０００１】
【発明の属する技術分野】
本発明は、音響信号情報を記録する音響信号情報処理装置及び方法に係り、詳細には、音響信号情報の記録履歴により記録の可否を決定する音声情報記録装置及び音声情報記録再生装置を含む音響信号情報処理装置及び音響信号情報処理方法に関する。
【手続補正４】
【補正対象書類名】明細書
【補正対象項目名】０００２
【補正方法】変更
【補正の内容】
【０００２】
【従来の技術及び発明が解決しようとする課題】
従来の音声情報記録再生装置では、複数のトラックからなる音響信号情報を有する第１の記録媒体（記録元）から第２の記録媒体（記録先）に音響信号情報を記録する場合、記録する音響信号情報がユーザにより選択され、記録が行われる。圧縮されていない音響信号情報を有するＣＤ−ＤＡ（Ｃｏｍｐａｃｔ Ｄｉｓｃ − Ｄｉｇｉｔａｌ Ａｕｄｉｏ）から、別の記録媒体、例えばＣＤ−Ｒ／ＲＷ（ＣＤ−Ｒｅｃｏｒｄａｂｌｅ／Ｒｅｗｒｉｔａｂｌｅ）に音響信号情報を圧縮しない状態で記録するのであれば、双方の記録媒体で記録される音響信号情報のトラックは通常１０数個であり、記録の管理はユーザにより容易に行うことが可能であった。
【手続補正５】
【補正対象書類名】明細書
【補正対象項目名】０００３
【補正方法】変更
【補正の内容】
【０００３】
しかしながら、最近では、ハードディスク等の大容量記録媒体の価格が低下し、また、音響信号情報の圧縮が容易に行われるようになってきたため、第１の記録媒体及び第２の記録媒体に記録されるトラックの数は数百を越えるようになった。この第１及び第２の記録媒体に記録されるトラックの数の増大により、第１の記録媒体から第２の記録媒体への記録を、第２の記録媒体でのトラックの重複が生じないようにユーザが管理することは困難である、という問題点がある。
【手続補正６】
【補正対象書類名】明細書
【補正対象項目名】０００４
【補正方法】変更
【補正の内容】
【０００４】
本発明は、上記問題点を解決するためになされたもので、複数のトラックからなる音響信号情報を記録する際に、トラックの記録履歴を参照し、該トラックの記録の可否を決定する音声情報記録装置及び音声情報記録再生装置を含む音響信号情報処理装置及び音響信号情報処理方法を提供することを目的とする。
【手続補正７】
【補正対象書類名】明細書
【補正対象項目名】０００５
【補正方法】変更
【補正の内容】
【０００５】
【課題を解決するための手段】
上記目的を達成するために、請求項１に記載の発明は、第１の記録媒体に記録された複数のトラックからなる音響信号情報をトラック単位で少なくとも１トラックずつ読み出す読み出し手段と、前記第１の記録媒体から読み出された前記音響信号情報を第２の記録媒体へ記録するための記録手段と、前記第２の記録媒体へ前記音響信号情報を記録する際に、記録される前記音響信号情報を有するトラックの記録履歴を記録される履歴情報を保持する履歴情報保持手段と、前記第２の記録媒体へ前記音響信号情報を記録する際に、前記履歴情報を参照し、該履歴情報に当該音響信号情報を有するトラックの記録履歴が記録されていない場合は、当該音響信号情報を有するトラックの記録を行い、該記録履歴が記録されている場合は、当該音響信号情報を有するトラックの記録を行わないように記録手段を制御する制御手段と、を有する音響信号情報処理装置を提供する。
【手続補正８】
【補正対象書類名】明細書
【補正対象項目名】０００６
【補正方法】変更
【補正の内容】
【０００６】
請求項２に記載の発明は、第１の記録媒体に記録された複数のトラックからなる音響信号情報をトラック単位で少なくとも１トラックずつ読み出し、前記第１の記録媒体から読み出された前記音響信号情報を第２の記録媒体へ記録し、前記第２の記録媒体へ前記音響信号情報を記録する際に、記録される前記音響信号情報を有するトラックの記録履歴を記録される履歴情報を保持し、前記第２の記録媒体へ前記音響信号情報を記録する際に、前記履歴情報を参照し、該履歴情報に当該音響信号情報を有するトラックの記録履歴が記録されていない場合は、当該音響信号情報を有するトラックの記録を行い、該記録履歴が記録されている場合は、当該音響信号情報を有するトラックの記録を行わない、音響信号情報処理方法を提供する。
【手続補正９】
【補正対象書類名】明細書
【補正対象項目名】０００７
【補正方法】変更
【補正の内容】
【０００７】
このように、第１の記録媒体から第２の記録媒体へ音響信号情報を記録する際に、トラックの記録履歴を参照し、トラックの記録の可否を決定することにより、トラックの記録が重複して行われてしまうのを避けることができる。これにより、ユーザによる記録管理の負担を軽減すると共に、第２の記録媒体の記録容量を有効に使用することができる。
【手続補正１０】
【補正対象書類名】明細書
【補正対象項目名】０００８
【補正方法】変更
【補正の内容】
【０００８】
【発明の実施の形態】
図１に、本発明を音声情報記録再生装置に適用した実施の形態を示す。音声情報記録再生装置１００は、音響信号情報処理装置の一例を構成し、複数の音声情報記録媒体を用いて音響信号情報の記録再生を行うことができる。音声情報記録再生装置１００では、バス１７０を介して、ＣＤ−ＲＯＭドライブ１１０、第２の記録媒体であるＣＤ−Ｒ／ＲＷを装着する記録手段であるＣＤ−Ｒ／ＲＷドライブ１１２、第１の記録媒体であるハードディスクを有する読み出し手段であり、履歴情報保持手段でもあるハードディスク・ドライブ１１４、メモリカード・ドライブ１１６等の複数の音声情報記録媒体の駆動装置間で、音響信号情報の送受信が行われる。
【手続補正１１】
【補正対象書類名】明細書
【補正対象項目名】００１１
【補正方法】変更
【補正の内容】
【００１１】
エンコーダ１５６及びデコーダ１５８は、音響信号情報を圧縮、解凍するためにバス１７０に接続されている。例えば、エンコーダ１５６はバス１７０から受信したＷＡＶデータ（パーソナルコンピュータで扱われる最も基本的な音響信号ファイルの形式）をＭＰ３データ（ＭＰＥＧ Ａｕｄｉｏ Ｌａｙｅｒ−３規格で圧縮された音響信号ファイルの形式）に変換してバス１７０に送信する。同様に、デコーダ１５８は、ＭＰ３データをＷＡＶデータに変換する。
【手続補正１２】
【補正対象書類名】明細書
【補正対象項目名】００１２
【補正方法】変更
【補正の内容】
【００１２】
ＲＯＭ１５０及びＲＡＭ１５２がバス１７０に接続されている。ＲＯＭ１５０は音声情報記録再生装置１００を制御するプログラムを記録している。ＲＡＭ１５２は、エンコーダ１５６、デコーダ１５８における音響信号情報の変換の際の一時的なバッファとして使用される。
【手続補正１３】
【補正対象書類名】明細書
【補正対象項目名】００１４
【補正方法】変更
【補正の内容】
【００１４】
制御手段であるコントローラ１５４は、上記全ての機器を制御するためにバス１７０に接続されている。バス１７０に送信された音響信号情報がどの装置によって受信され、どのような操作を受けるかというような制御は、操作パネル１６０を介して行われるユーザの指示に基づくＲＯＭ１５０内のプログラムの実行によって、コントローラ１５４が制御する。
【手続補正１４】
【補正対象書類名】明細書
【補正対象項目名】００１５
【補正方法】変更
【補正の内容】
【００１５】
次に実施の形態の作用を図２乃至図７を参照して説明する。本実施の形態は第１の記録媒体であるハードディスクから音響信号情報を読み出して、第２の記録媒体であるＣＤ−Ｒ／ＲＷに該音響信号情報を記録する。
【手続補正１５】
【補正対象書類名】明細書
【補正対象項目名】００２６
【補正方法】変更
【補正の内容】
【００２６】
このように、ハードディスクドライブに記録された音響信号情報をＣＤ−Ｒ／ＲＷに記録する際に、履歴情報に記録された記録履歴を参照することにより、ＣＤ−Ｒ／ＲＷにトラックを重複して記録することを避けることができ、ＣＤ−Ｒ／ＲＷの記録容量を有効に使用することができるようになると共に、ユーザによる記録管理の負担を軽減することができる。詳細には、インターネット配信などにより、ハードディスクドライブの既存のフォルダ内に新しいトラックが追加記録された場合に新しく追加されたトラックのみをＣＤ−Ｒ／ＲＷに記録する際にも、ユーザは当該フォルダを記録元として指示するだけで、当該フォルダに追加記録されたトラックのみがＣＤ−Ｒ／ＲＷに記録される。したがって、ユーザは新しく追加されたトラックを個別に記録元として指示する必要がない。
【手続補正１６】
【補正対象書類名】明細書
【補正対象項目名】００２９
【補正方法】変更
【補正の内容】
【００２９】
第２の記録媒体が上書き可能な媒体であれば、履歴情報は第２の記録媒体側に保持されてもよい。本実施の形態では、フォルダ毎に履歴情報を保持させるようにしたが、本発明はこれに限定されず、例えば、各記録媒体毎に一つの履歴情報を保持するようにしてもよい。ＣＤ−Ｒ／ＲＷのような追記型の記録媒体に履歴情報を記録する場合には、１つのトラック毎に１つの履歴情報を保持させるようにしてもよい。また、本実施の形態では、履歴情報に記録履歴としてトラック名、記録先の記録媒体のラベル、記録日付が記録されるが、本発明はこれに限定されない。本実施の形態では、音響信号情報の形式を特に限定しない。音響信号情報はＭＰ３形式、ＷＡＶ形式、又は他の何れの形式であってもよい。
【手続補正１７】
【補正対象書類名】明細書
【補正対象項目名】００３０
【補正方法】変更
【補正の内容】
【００３０】
【発明の効果】
本発明は、第１の記録媒体に記録された音響信号情報を第２の記録媒体に記録する際に、履歴情報を参照することにより、第２の記録媒体に既に記録されている音響信号情報を重複して記録することを避けることができ、第２の記録媒体の記録容量を有効に使用することができるようになると共に、ユーザによる記録管理の負担を軽減することができる。